(57)【要約】【課題】オーディオジャックコネクタ及びその製造方法の提供。【解決手段】本オーディオジャックコネクタは絶縁本体、複数の端子、ボトムケース及びシールケースを包含する。該絶縁本体は前壁と底壁を具えた主体部を具え、前壁に挿入孔が設けられ、該底壁は該挿入孔に連通する複数の端子溝を有する。該端子はソルダーピンを具え該端子溝内に挿入される。該ボトムケースは絶縁本体の底壁を被覆し、端子溝を外界より遮断し、該ボトムケースはカバーを具え、該カバーの両側端が折り曲げられ突伸されて取り付け溝を具えた挟持部が形成され、該端子の該ソルダーピンは該取り付け溝より伸出する。該シールケースは該絶縁本体と該ボトムケース外に一体成形されてボトムケースと絶縁本体の間及びソルダーピンとボトムケースの間の隙間を密封し、該ソルダーピンは該シールケース外に伸出する。該ボトムケースとシールケースの、端子が取り付けられた絶縁本体に対する被覆作用により防水目的を達成する。【選択図】図１
2012014863.tif 000002
【特許請求の範囲】
【請求項１】
オーディオジャックコネクタにおいて、
絶縁本体であって、主体部を具え、該主体部は前壁と底壁を具え、該前壁に挿入孔が開設され、該底壁に該挿入孔に連通する複数の端子溝が開設された、上記絶縁本体と、
複数の端子であって、それぞれが端子溝内に挿入され、且つソルダーピンを具えた、上記複数の端子と、
ボトムケースであって、該絶縁本体の底壁に貼り合わされて該底壁を被覆し、これにより該端子溝の外界との連通を遮断し、且つ該ボトムケースはカバーを具え、該カバーの両側端がいずれも折り曲げられ突伸されて二つの挟持部が形成され、各該挟持部に取り付け溝が開設され、該端子の該ソルダーピンは該取り付け溝より伸出する、上記ボトムケースと、
シールケースであって、該絶縁本体と該ボトムケース外に一体成形されて該ボトムケースと該絶縁本体の間及び該ソルダーピンと該ボトムケースの間の隙間を密封し、該ソルダーピンは該シールケース外に伸出する、上記シールケースと、
を包含したことを特徴とする、オーディオジャックコネクタ。
【請求項２】
請求項１記載のオーディオジャックコネクタにおいて、該絶縁本体の該主体部はさらに後壁と上壁及び両側壁を具え、該両側壁にそれぞれ係止溝が開設され、二つの該挟持部がいずれも該カバーの内側より突伸して該係止溝と相互に対応する係止部を有し、該係止部が該係止溝内に係合されることを特徴とする、オーディオジャックコネクタ。
【請求項３】
請求項１記載のオーディオジャックコネクタにおいて、該絶縁本体の該底壁に二つの位置決め溝が凹設され、該カバーに二つの位置決め柱が凸設されて、該位置決め柱が該位置決め溝内に挿入されることを特徴とする、オーディオジャックコネクタ。
【請求項４】
請求項１記載のオーディオジャックコネクタにおいて、該絶縁本体の前壁が該シールケースの一端にアラインされたことを特徴とする、オーディオジャックコネクタ。
【請求項５】
オーディオジャックコネクタの製造方法において、
第１ステップ：複数の端子を絶縁本体の端子溝内に取り付ける、
第２ステップ：ボトムケースを貼り合わせて該絶縁本体を被覆する、
第３ステップ：組立完成した端子セット、絶縁本体及びボトムケースの組合せ体を成形用型内に入れ、並びに型内でシールケースを一体成形し、該シールケースによりボトムケースと絶縁本体の間及びソルダーピンとボトムケースの間の隙間を密封する、
以上のステップを包含することを特徴とする、オーディオジャックコネクタの製造方法。
【発明の詳細な説明】
【技術分野】
【０００１】
本発明は一種のオーディオジャックコネクタに係り、特に防水作用を高めたオーディオジャックコネクタ及びその製造方法に関する。
【背景技術】
【０００２】
図６を参照されたい。周知のオーディオジャックコネクタ１００’は、絶縁本体１’、端子セット２’、及びカバー（図示せず）を具えている。絶縁本体１’は主体部を具え、該主体部は前壁１１１’、後壁１１２’、上壁（図示せず）、底壁１１４’及び両側壁１１５’を有する。絶縁本体１’には後壁１１２’まで延伸されてオーディオプラグコネクタ（図示せず）の挿入に供される挿入孔１１’が開設されている。絶縁本体１’の底壁１１４’には挿入孔１１’と連通する端子溝１２’が開設され、該端子溝１２’は両側壁１１５の辺縁部分に配置されている。上述の端子セット２’の各端子はソルダーピン（符号なし）を具えている。端子セット２’の各端子は端子溝１２’内に挿入され、且つ端子セット２’の各端子のソルダーピンは端子溝１２’より絶縁本体１’外に伸出する。カバー（図示せず）が後壁１２’に当接し、並びに挿入孔１１’の一端を封じる。組立完成したオーディオジャックコネクタ１００’は直接印刷回路板（図示せず）上に半田付けされ、その後、オーディオジャックコネクタ１００’が実装されたプリント回路板が電子製品（図示せず）のケーシング内に取り付けられ、且つオーディオジャックコネクタ１００’は電子製品ケーシングの挿入口部分に取り付けられる。
【０００３】
上述の周知のオーディオジャックコネクタ１００’の端子溝１２’の一端は、挿入孔１１’により外部空間と連通し、端子溝１２’の別端は電子製品の内部空間と相互に連通し、水及び湿気が挿入孔１１’及び端子溝１２’より電子製品内部に進入して電気回路の短絡を引き起しやすい。
【発明の概要】
【発明が解決しようとする課題】
【０００４】
本発明の目的は、上述の周知の技術に存在する欠点に対して一種の、防水作用を高めたオーディオジャックコネクタ及びその製造方法を提供することにある。
【課題を解決するための手段】
【０００５】
上述の目的を達成するため、本発明の提供するオーディオジャックコネクタは、絶縁本体、複数の端子、ボトムケース及びシールケースを包含する。該絶縁本体は主体部を具え、該主体部は前壁と底壁を具え、該前壁に挿入孔が設けられ、該底壁は該挿入孔に連通する複数の端子溝を有する。該端子はそれぞれが対応する該端子溝内に挿入され、該端子はそれぞれソルダーピンを具えている。該ボトムケースは該絶縁本体の底壁に貼り合わされて該底壁を被覆し、該端子溝の外界との連通を遮断し、且つ該ボトムケースはカバーを具え、該カバーの両側端がいずれも折り曲げられ突伸されて二つの挟持部が形成され、各該挟持部に取り付け溝が開設され、該端子の該ソルダーピンは該取り付け溝より伸出する。該シールケースは該絶縁本体と該ボトムケース外に一体成形されてボトムケースと絶縁本体の間及びソルダーピンとボトムケースの間の隙間を密封し、該ソルダーピンは該シールケース外に伸出する。
【０００６】
上述の目的を達成するため、本発明の提供するオーディオジャックコネクタの製造方法は、
第１ステップ：複数の端子を絶縁本体の端子溝内に取り付ける
第２ステップ：ボトムケースを貼り合わせて該絶縁本体を被覆する
第３ステップ：組立完成した端子セット、絶縁本体及びボトムケースの組合せ体を成形用型内に入れ、並びに型内でシールケースを一体成形し、該シールケースによりボトムケースと絶縁本体の間及びソルダーピンとボトムケースの間の隙間を密封する、
以上のステップを包含する。
【発明の効果】
【０００７】
本発明のオーディオジャックコネクタは、ボトムケースが絶縁本体の底壁に貼り合わされて電子製品内部の各端子溝と挿入孔による外部空間との連通を遮断することにより、さらに、絶縁本体とボトムケースの外側にシールケースが一体成形されることにより、電子製品内の、オーディオジャックコネクタの挿入孔を介しての外部空間との相互連通を遮断し、これにより、水及び湿気の挿入孔を介しての電子製品内部への進入を防止し、防水の目的を達成する。
【図面の簡単な説明】
【０００８】
【図１】本発明のオーディオジャックコネクタの立体図である。
【図２】本発明のオーディオジャックコネクタの分解図である。
【図３】本発明のオーディオジャックコネクタの別角度から見た分解図である。
【図４】本発明のオーディオジャックコネクタのボトムケースの立体図である。
【図５】本発明のオーディオジャックコネクタのシールケースの立体図である。
【図６】周知のオーディオジャックコネクタの立体図である。
【発明を実施するための形態】
【０００９】
詳細に本発明の技術内容、構造特徴、その達成する目的及び作用効果を説明するため、以下に例を挙げ並びに図面を組み合わせて詳しく説明を行う。
【００１０】
図１及び図２を参照されたい。オーディオジャックコネクタ１００は、絶縁本体１、端子セット、ボトムケース３及びシールケース４を包含する。
【００１１】
図１及び図２を参照されたい。絶縁本体１はほぼ縦長の直方体状を呈し、主体部１０を具えている。該主体部１０は、前壁１１１、後壁１１２、上壁１１３、底壁１１４及び両側壁１１５を有する。該前壁１１１に主体部１０の後端まで延伸された挿入孔１１が開設されている。該底壁１１４に一つの側壁１１５の辺縁に沿って、前壁１１１より後壁１１２に向けて、順に、第１端子溝１２、第３端子溝１４、第５端子溝１６が開設され、該底壁１１４にもう一つの側壁１１５の辺縁に沿って、前壁１１１より後壁１１２に向けて、順に、第２端子溝１３、第４端子溝１５が開設され、且つ該第４端子溝１５と第５端子溝１６は一対一で対応している。該第１端子溝１２、第２端子溝１３、第３端子溝１４、第４端子溝１５、及び第５端子溝１６の一端は挿入孔１１と相互に連通し、該第１端子溝１２、第２端子溝１３、第３端子溝１４、第４端子溝１５、及び第５端子溝１６の別端は、外界と連通している。上述の第１端子溝１２は前壁１１１に接近する部分に配置される。絶縁本体１の底壁１１４には二つの位置決め溝１７が凹設され、そのうち一つの位置決め溝１７は該第１端子溝１２と第３端子溝１４の間に配置され、もう一つの位置決め溝１７は第２端子溝１３より前方に配置され、且つ上述の第２端子溝１３と位置決め溝１７は相互に対応する。両側壁１１５にはそれぞれ上壁１１３まで延伸された係止溝１８が開設され、且つそのうち一つの係止溝１８は側壁１１５の中部位置に配置され、もう一つの係止溝１８はもう一つの側壁１１５の端部位置に配置され並びに別端が後壁１１２と相互に貫通する。
【００１２】
図２を参照されたい。端子セットは第１端子２１、第２端子２２、第３端子２３、第４端子２４、及び第５端子２５を包含する。該第１端子２１、第２端子２２、第３端子２３、及び第５端子２５は固定部２１１、２２１、２３１及び２５１と、固定部２１１、２２１、２３１及び２５１より折り曲げられ延伸された接触部２１２、２２２、２３２及び２５２及び固定部２１１、２２１、２３１及び２５１より折り曲げられ延伸されたソルダーピン２１３、２２３、２３３及び２５３を具え、第４端子は僅かに固定部２４１と接触部２４３のみを有する。
【００１３】
図２を参照されたい。ボトムケース３はカバー３１を包含する。該カバー３１の対向する側縁は折り曲げられ突伸されて二つの挟持部３２が形成されている。該挟持部３２にはカバー体まで延伸された取り付け溝３２１が開設されている。このほか、二つの挟持部３２にそれぞれカバー３１内側に向けて突伸し係止溝１８と相互に対応する係止部３２２が設けられている。上述のカバー３１にはさらに位置決め溝１７と相互に組み合わされる二つの位置決め柱３１１が凸設されている。
【００１４】
図２を参照されたい。シールケース４は絶縁本体１とボトムケース３外に一体成形され、並びにボトムケース３と絶縁本体１の間及びソルダーピン２１３、２２３、２３３及び２５３及びボトムケース３の間の隙間を密封する。上述のシールケース４は略直方体の角管状を呈し、且つシールケース４は収容空間４１を具えている。該シールケース４の一端の端部の側縁はそれぞれ内向きに突伸して保持部４２を形成している。そのうち二つの対向する保持部４２に縦梁４２１が接続されている（図５参照）。
【００１５】
本発明のオーディオジャックコネクタ１００の製造方法は、以下のステップを包含する。
第１ステップ：複数の端子（第１端子２１、第２端子２２、第３端子２３、第４端子２４、及び第５端子２５）を絶縁本体１の端子溝１２、１３、１４、１５及び１６内に取り付ける
第２ステップ：ボトムケース３を貼り合わせて該絶縁本体１を被覆する
第３ステップ：組立完成した端子セット、絶縁本体１及びボトムケース３の組合せ体を成形用型内に入れ、並びに型内でシールケース４を一体成形し、該シールケース４によりボトムケースと絶縁本体の間及びソルダーピン２１３、２２３、２３３及び２５３とボトムケース３の間の隙間を密封する、
以上のステップを包含する。
【００１６】
図２及び図３を参照されたい。本発明のオーディオジャックコネクタ１００を組み立てる時、まず、第１端子２１、第２端子２２、第３端子２３、第４端子２４、及び第５端子２５を順に絶縁本体１の第１端子溝１２、第２端子溝１３、第３端子溝１４、第４端子溝１５、及び第５端子溝１６に挿入する。この時、上述の第１端子２１、第２端子２２、第３端子２３、第４端子２４、及び第５端子２５の接触部２１２、２２２、２３２、２４２及び２５２は可動に挿入孔１１内より伸出し、固定部２１１、２２１、２３１、２４１及び２５１は第１端子溝１２、第２端子溝１３、第３端子溝１４、第４端子溝１５、及び第５端子溝１６内に固定され、ソルダーピン２１３、２２３、２３３及び２５３は絶縁本体１外に伸出する。
【００１７】
次に、底壁１１４より上壁１１３の方向に、ボトムケース３を絶縁本体１に貼り合わせ、且つボトムケース３のカバー３１に絶縁本体１の底壁１１４を被覆させ、各端子のソルダーピン２１３、２２３、２３３及び２５３を取り付け溝３２１よりボトムケース３の外側に伸出させ、ボトムケース３の係止部３２２を絶縁本体１の係止溝１８内に係合させ、ボトムケース３の位置決め柱３１１を絶縁本体１の位置決め溝１７内に挿入する。
【００１８】
最後に、組立完成した端子セット、絶縁本体１及びボトムケース３の組合せ体を、成形用型内に入れ、型内でインサート成形して端子セット、絶縁本体１及びボトムケース３の組合せ体外にシールケース４を形成し、且つ絶縁本体１の前壁１１１をシールケース４の一端とアラインさせる。
【００１９】
本発明のオーディオジャックコネクタ１００は印刷回路板上に半田付けされ、こうしてオーディオジャックコネクタ１００が実装された印刷回路板は電子製品（図示せず）内部に取り付けられ、且つオーディオジャックコネクタ１００は電子製品ケーシングの挿入口部分に配置されて、対応するオーディオプラグコネクタとの接続に供される。
【００２０】
上述したように、本発明のオーディオジャックコネクタ１００及びその製造方法は、ボトムケース３を絶縁本体１に貼り合わせることで電子製品内部をオーディオジャックコネクタ１００を介しての外界空間との相互連通より遮断し、さらに絶縁本体１及びボトムケース３外側を被覆するシールケース４を一体成形することにより、さらに電子製品内を、オーディオジャックコネクタ１００を介しての外部空間との相互連通より遮断し、これにより水と湿気がオーディオジャックコネクタ１００より電子製品内部に進入するのを防止し、これにより防水の目的を達成する。
【符号の説明】
【００２１】
１００  オーディオジャックコネクタ
１  絶縁本体                １０  主体部
１１  挿入孔                １１１  前壁
１１２  後壁                １１３  上壁
１１４  底壁                １１５  側壁
１２  第１端子溝            １３  第２端子溝
１４  第３端子溝            １５  第４端子溝
１６  第５端子溝            １７  位置決め溝
１８  係止溝                ２１  第１端子
２２  第２端子              ２３  第３端子
２４  第４端子              ２５  第５端子
２１１、２２１、２３１、２４１、２５１  固定部
２１２、２２２、２３２、２４２、２５２  接触部
２１３、２２３、２３３、２５３  ソルダーピン
３  ボトムケース３          ３１  カバー
３１１  位置決め柱          ３２  挟持部
３２１  取り付け溝          ３２２  係止部
４  シールケース            ４１  収容空間
４２  保持部                ４２１  縦梁
【図１】
2012014863.tif 000003
【図２】
2012014863.tif 000004
【図３】
2012014863.tif 000005
【図４】
2012014863.tif 000006
【図５】
2012014863.tif 000007
【図６】
2012014863.tif 000008